【手続補正書】
【提出日】平成18年1月30日(2006.1.30)
【手続補正１】
【補正対象書類名】明細書
【補正対象項目名】特許請求の範囲
【補正方法】変更
【補正の内容】
【特許請求の範囲】
【請求項１】
原稿画像を読取るためのレンズであって、
物体側に前群、像側に後群を配してなり、
上記前群は、１枚以上の正レンズを含む、２〜４枚のレンズで構成され、
上記後群は、１枚の負レンズにより構成され、
実使用状態におけるバックフォーカスが、レンズ全長の３０％以下であり、
上記前群と後群との空気間隔が、レンズ全長の５０％以上であることを特徴とする原稿読取レンズ。
【請求項２】
請求項１記載の原稿読取レンズにおいて、
後群の入射側面が非球面であることを特徴とする原稿読取レンズ。
【請求項３】
請求項１または２記載の原稿読取レンズにおいて、
後群の像側面が非球面であることを特徴とする原稿読取レンズ。
【請求項４】
請求項１〜３の任意の１に記載の原稿読取レンズにおいて、
後群がプラスチックレンズであることを特徴とする原稿読取レンズ。
【請求項５】
請求項１〜４の任意の１に記載の原稿読取レンズにおいて、
後群の外形形状が、光軸に対して回転対称でないことを特徴とする原稿読取レンズ。
【請求項６】
請求項５記載の原稿読取レンズにおいて、
後群の外形形状が、主走査方向に長い短冊形状であることを特徴とする原稿読取レンズ。
【請求項７】
請求項５または６記載の原稿読取レンズにおいて、
後群がプラスチックレンズであり、位置決め用、もしくは保持用、もしくは固定用の係合部を有することを特徴とする原稿読取レンズ。
【請求項８】
請求項１〜７の任意の１に記載の原稿読取レンズにおいて、
実使用状態におけるバックフォーカスが、レンズ全長の１０％以下であることを特徴とする原稿読取レンズ。
【請求項９】
原稿読取レンズと、
この原稿読取レンズの各レンズを保持し、原稿読取レンズ全体を一体化する保持手段とを有し、
上記原稿読取レンズが請求項１〜８の任意の１に記載の原稿読取レンズであることを特徴とする原稿読取レンズユニット。
【請求項１０】
原稿画像を読取って電気信号化するための原稿読取モジュールであって、
原稿読取レンズと、
この原稿読取レンズにより形成される原稿画像の像をサンプリングし、光電変換する受光素子アレイとを有し、
上記原稿読取レンズが、請求項１〜８の任意の１に記載の原稿読取レンズであることを特徴とする原稿読取モジュール。
【請求項１１】
請求項１０記載の原稿読取モジュールにおいて、
原稿読取レンズの後群と受光素子アレイとを一体化したことを特徴とする原稿読取モジュール。
【請求項１２】
請求項１１記載の原稿読取モジュールにおいて、
原稿読取レンズの、実使用状態におけるバックフォーカスが十分に短く、後群の像側面が、受光素子アレイのパッケージのシールド材を兼ねていることを特徴とする原稿読取モジュール。
【請求項１３】
請求項１１記載の原稿読取モジュールにおいて、
原稿読取レンズの、実使用状態におけるバックフォーカスが実質的に０であり、受光素子アレイが後群の像側面に直接貼着されていることを特徴とする原稿読取モジュール。
【請求項１４】
請求項１３記載の原稿読取モジュールにおいて、
原稿読取レンズの後群の像側面が非平面であることを特徴とする原稿読取モジュール。
【請求項１５】
請求項１０〜１４の任意の１に記載の原稿読取モジュールにおいて、
原稿読取レンズの全体が、保持手段により一体化され、上記原稿読取レンズと保持手段とが請求項９記載の原稿読取レンズユニットを構成することを特徴とする原稿読取モジュール。
【請求項１６】
請求項１５記載の原稿読取モジュールにおいて、
保持手段が、前群の各レンズを保持する保持部と、後群を取付けられる後群取付け部とを一体に形成されたものであることを特徴とする原稿読取モジュール。
【請求項１７】
請求項１５記載の原稿読取モジュールにおいて、
保持手段が、原稿読取レンズの前群を保持する前群保持手段と、後群を保持する後群保持手段と、これら各保持手段を一体化する連結手段とを有することを特徴とする原稿読取モジュール。
【請求項１８】
請求項１７記載の原稿読取モジュールにおいて、
前群保持手段が、後群保持手段に対して相対的に、光軸方向へ並進変位可能であることを特徴とする原稿読取モジュール。
【請求項１９】
請求項１７記載の原稿読取モジュールにおいて、
前群保持手段が、後群保持手段に対して相対的に、光軸の回りに回転可能であることを特徴とする原稿読取モジュール。
【請求項２０】
請求項１９記載の原稿読取モジュールにおいて、
前群保持手段が、後群保持手段に対して相対的に、光軸方向へ並進変位可能であることを特徴とする原稿読取モジュール。
【請求項２１】
請求項１０〜２０の任意の１に記載の原稿読取モジュールにおいて、
原稿読取レンズの前群と後群との間に光路を屈曲させる折り曲げミラーを有することを特徴とする原稿読取モジュール。
【請求項２２】
請求項１０〜２１の任意の１に記載の原稿読取モジュールにおいて、
原稿読取レンズの前群と後群との間に、像面における主走査方向の像の明るさを補正するためのシェーディング手段を有することを特徴とする原稿読取モジュール。
【請求項２３】
請求項２２記載の原稿読取モジュールにおいて、
シェーディング手段が、所定形状の開口部を有する遮光板であることを特徴とする原稿読取モジュール。
【請求項２４】
請求項２１記載の原稿読取モジュールにおいて、
折り曲げミラーが所定の反射面形状を有し、像面における主走査方向の像の明るさを補正するためのシェーディング手段を兼ねていることを特徴とする原稿読取モジュール。
【請求項２５】
原稿読取レンズによる原稿画像の像を受光素子アレイ上に結像させ、原稿を走査し、原稿画像を読取って電気信号化する原稿読取方法であって、
原稿読取レンズとして請求項１〜８の任意の１に記載の原稿読取レンズを用いることを特徴とする原稿読取方法。
【請求項２６】
原稿読取レンズによる原稿画像の像を受光素子アレイ上に結像させ、原稿を走査しつつ、原稿画像を読取って電気信号化する原稿読取装置であって、
原稿を走査する走査手段と、
受光素子アレイと、
走査される原稿部分からの光束を、上記受光素子アレイ上に結像させる原稿読取レンズと、
上記受光素子アレイの出力信号を信号処理する信号処理手段および、信号処理された信号に対して画像処理を行う画像処理手段とを有し、
上記原稿読取レンズとして、請求項１〜８の任意の１に記載の原稿読取レンズを用いることを特徴とする原稿読取装置。
【請求項２７】
請求項２６記載の原稿読取装置において、
原稿読取レンズが原稿読取レンズユニットとしてユニット化され、ユニット化された原稿読取ユニットが請求項９に記載の原稿読取レンズユニットであることを特徴とする原稿読取装置。
【請求項２８】
請求項２６または２７記載の原稿読取装置において、
原稿読取レンズと受光素子アレイとが原稿読取モジュールとされ、この原稿読取モジュールとして、請求項１０〜２４の任意の１に記載の原稿読取モジュールを用いることを特徴とする原稿読取装置。
【請求項２９】
請求項２６または２７または２８記載の原稿読取装置において、
原稿を走査する走査手段が、
定位置に設けられたコンタクトガラスと、
このコンタクトガラスの表面に接して原稿を走行させる走行手段と、
上記コンタクトガラス上の原稿を主走査方向にわたって照明する照明手段とを有することを特徴とする原稿読取装置。
【請求項３０】
請求項２６または２７または２８記載の原稿読取装置において、
原稿を走査する手段が、
原稿を平面的に定置する原稿ガラスと、
原稿ガラス上に定置された原稿を主走査方向にわたって照明する照明手段と、
この照明手段により照明された原稿部分からの光束を原稿読取レンズへ導光する１群のミラーと、
上記照明手段を副走査方向に変位させると共に、上記１群のミラーを、上記照明手段による照明部から上記原稿読取レンズへの導光の光路長を保って変位させる変位手段とを有することを特徴とする原稿読取装置。
【請求項３１】
請求項２６〜３０の任意の１に記載の原稿読取装置において、
信号処理手段および／または画像処理手段が、読取倍率の調整を電気的に行う機能を有することを特徴とする原稿読取装置。
【請求項３２】
原稿画像を読取って電気信号化する原稿読取装置と、この原稿読取装置により電気信号化された信号情報を出力するための出力手段とを有する画像情報処理装置であって、
原稿読取装置として、請求項２６〜３１の任意の１に記載の原稿読取装置を用いることを特徴とする画像情報処理装置。
【請求項３３】
請求項３２記載の画像情報処理装置において、
出力手段として、画像を表示媒体上にディスプレイするディスプレイ装置を有することを特徴とする画像情報処理装置。
【請求項３４】
請求項３２または３３記載の画像情報処理装置において、
出力手段として、画像情報を電子的な記録媒体に書き込む書込み装置を有することを特徴とする画像情報処理装置。
【請求項３５】
請求項３２または３３または３４記載の画像情報処理装置において、
出力手段として、画像情報を伝送する伝送装置を有することを特徴とする画像情報処理装置。
【請求項３６】
請求項３２〜３５の任意の１に記載の画像情報処理装置において、
出力手段として、画像情報を記録媒体にプリント記録する記録装置を有することを特徴とする画像情報処理装置。
【手続補正２】
【補正対象書類名】明細書
【補正対象項目名】００２０
【補正方法】変更
【補正の内容】
【００２０】
この発明の画像情報処理装置は「原稿画像を読取って電気信号化する原稿読取装置と、この原稿読取装置により電気信号化された信号情報を出力するための出力手段とを有する画像情報処理装置」であって、原稿読取装置として、請求項２６〜３１の任意の１に記載の原稿読取装置を用いることを特徴とする（請求項３２）。
上記「出力手段」は、画像を表示媒体（ＣＲＴや液晶デイスプレイ、液晶プロジェクタの液晶パネル等）上にディスプレイするディスプレイ装置であることもできるし（請求項３３）、「画像情報を電子的な記録媒体（磁気テープ、磁気ディスクや各種光ディスク）に書き込む書込み装置」であることもでき（請求項３４）、「画像情報を有線や無線の通信形態で伝送する伝送装置（ファクシミリの伝送部分等）であることも（請求項３５）、「画像情報を普通紙やＯＨＰシート（オーバヘッドプロジェクタ用のプラスチックシート等）等の記録媒体にプリント記録する記録装置」であることもできる（請求項３６）。
「出力手段としての記録装置」は、インクジェットプリンタであることもできるし、「電気写真方式の光記録装置」であることもできる。
上記請求項３２記載の画像情報処理装置は、出力手段として上記のものを２以上有することができる。例えば、出力装置として、上記の伝送装置や、書込み装置、記録装置等を有すると、画像情報処理装置は、原稿を読取って画像情報とし、これをフロッピディスク等の磁気ディスクや光ディスクに書込み記録する読取装置としての機能や、読み取った原稿の画像情報を伝送装置により伝送するファクシミリ機能や、読取った画像情報を記録媒体に形成する画像形成装置としての機能等、多機能をもった情報処理装置となる。
【手続補正３】
【補正対象書類名】明細書
【補正対象項目名】００４６
【補正方法】変更
【補正の内容】
【００４６】
出力手段１８７としては、前述したように、各種のもの、例えば「画像を表示媒体上にディスプレイするディスプレイ装置」や、「画像情報を電子的な記録媒体に書き込む書込み装置」、さらには、「画像情報を伝送する伝送装置」、「画像情報を記録媒体にプリント記録する記録装置」等であることができ、記録装置は「インクジェットプリンタ」や「電気写真方式の光記録装置」等であることができる。そして、画像情報処理装置は、出力手段１８７として、これら各種のものの２以上を有していても良い。
【手続補正４】
【補正対象書類名】明細書
【補正対象項目名】００４８
【補正方法】変更
【補正の内容】
【００４８】
コントローラ２０２は、原稿読取りの際、照明ランプＬＰの点滅の制御も行う。この画像情報処理装置は出力手段として、伝送装置としてのモデム２０４、書込み装置２０３、および記録装置として「電子写真方式の光記録装置」を有する。
上記の如き動作で読取った「原稿画像の情報」をファクシミリで送信したい場合には、図示されない操作パネルにより「ファクシミリ送信」を指令すると、コントローラ２０２は原稿読取モジュール２０１から入力される画像情報を、伝送に適した信号形態に信号処理・画像処理し、モデム２０４を介して伝送する。また、読取った画像情報をフロッピディスクＦＤや光ディスクＣＤに書き込みたい場合には、上記操作パネルにて「書込み」を指令し、フロッピディスクＦＰあるいは光ディスクＣＤを書込み装置２０３にセットする。コントローラ２０２は原稿画像情報を、セットされた「電子記録媒体」に適した信号形態に変換する処理を行い、セットされた電子記録媒体（フロッピディスクＦＤまたは光ディスクＣＤ）に原稿画像情報を書きこむ。
【手続補正５】
【補正対象書類名】明細書
【補正対象項目名】００７１
【補正方法】変更
【補正の内容】
【００７１】
また、図２０に実施の形態を示した画像情報処理装置は、原稿画像を読取って電気信号化する原稿読取装置と、この原稿読取装置により電気信号化された信号情報を出力するための出力手段１８７とを有する画像情報処理装置で、原稿読取装置として、請求項２６〜３１の任意の１に記載の原稿読取装置を用いるものである（請求項３２）。
そして、出力手段１８６は、画像を表示媒体上にディスプレイするディスプレイ装置であること（請求項３３）も、画像情報を電子的な記録媒体に書き込む書込み装置であるも（請求項３４）、画像情報を伝送する伝送装置であることも（請求項３５）、画像情報を記録媒体にプリント記録する記録装置であること（請求項３６）もでき、記録装置が、インクジェットプリンタであることも、電気写真方式の光記録装置であることもできる。
そして、図２１に実施の形態を示した画像情報処理装置は、出力手段として、請求項３３〜３６の任意の１に記載のものを２以上有するものである。